(57)【要約】      （修正有）【課題】省スペース、省電力、電池での駆動を可能とし、紙幣をわざわざ広げる必要がなく、電源のオンオフを自動で行い、簡便に紙幣の透かし部分を確認できる紙幣判定機を提供すること。【解決手段】紙幣を照射する照明部３と紙幣保持部２とを本体１に備え、前記紙幣保持部２に前記照明部３のスイッチ４を備えた紙幣判定機。【選択図】図２
2006209721.tif 000002
【特許請求の範囲】
【請求項１】
紙幣を照射する照明部と紙幣保持部とを本体に備え、前記紙幣保持部に前記照明部のスイッチを備えた紙幣判定機。
【請求項２】
前記スイッチが、前記紙幣保持部に紙幣を挿置することで入り操作されるものである請求項１に記載の紙幣判定機。
【請求項３】
前記スイッチが接触式のものである請求項１または２に記載の紙幣判定機。
【請求項４】
前記スイッチが非接触式のものである請求項１または２に記載の紙幣判定機。
【請求項５】
前記照明部の面積が、紙幣のすかし領域よりも広い面積を備える請求項１〜４の何れか一項に記載の紙幣判定機。
【請求項６】
前記紙幣保持部が前記本体と前記紙幣保持部との隙間に紙幣を挿入する形式のものであり、紙幣を受け入れるべく前記紙幣保持部の一端側に形成した紙幣挿入縁部が、挿入する紙幣と平行な平面内において、挿入する紙幣の側に突出する凸部を備える請求項１〜５の何れか一項に記載の紙幣判定機。
【請求項７】
前記紙幣挿入縁部の前記凸部が、紙幣の挿入方向に対して所定の開き角度を有する請求項６に記載の紙幣判定機。
【請求項８】
前記照明部に複数の光源を備える請求項１〜７の何れか一項に記載の紙幣判定機。
【請求項９】
前記照明部の全領域を均等に照射する調光手段を備える請求項１〜８の何れか一項に記載の紙幣判定機。
【請求項１０】
前記本体に当該本体を他物に固定する固定手段を備えた請求項１〜９の何れか一項に記載の紙幣判定機。
【発明の詳細な説明】
【技術分野】
【０００１】  この発明は、偽造紙幣の判定を簡便に行う装置に関する。
【背景技術】
【０００２】  従来の紙幣判定機は、家庭用電源を使用した大型の物か小型の物であっても電源のオンオフを人為的に行うものである。
【発明の開示】
【発明が解決しようとする課題】
【０００３】  しかしながら、以上の技術によれば、装置が大掛かりで目立つために判定を行う際、顧客に不快感を与えてしまう。また、電源のオンオフや折れ曲がっている紙幣を広げるなど操作が煩雑で、電源の種類、大きさにより使用場所が限られていた。
そこで、この発明は、省スペース、省電力、電池での駆動を可能とし、紙幣をわざわざ広げる必要が無く、電源のオンオフを自動で行い、簡便に紙幣の透かし部分を確認できる紙幣判定機を提供することを課題とする。
【課題を解決するための手段】
【０００４】  以上の課題を解決するめに、第一発明は、紙幣を照射する照明部と紙幣保持部とを本体に備え、前記紙幣保持部に前記照明部のスイッチを備えた紙幣判定機である。
また、第二発明は、前記スイッチが、前記紙幣保持部に紙幣を挿置することで入り操作されることを特徴とする紙幣判定機である。
また、第三発明は、前記スイッチが接触式のものであることを特徴とする紙幣判定機である。
また、第四発明は、前記スイッチが非接触式のものであることを特徴とする紙幣判定機である。
また、第五発明は、前記照明部の面積が、紙幣のすかし領域よりも広い面積を備えることを特徴とする紙幣判定機である。
また、第六発明は、前記紙幣保持部が前記本体と前記紙幣保持部との隙間に紙幣を挿入する形式のものであり、紙幣を受け入れるべく前記紙幣保持部の一端側に形成した紙幣挿入縁部が、挿入する紙幣と平行な平面内において、挿入する紙幣の側に突出する凸部を備えることを特徴とする紙幣判定機である。
また、第七発明は、前記紙幣挿入縁部の前記凸部が、紙幣の挿入方向に対して所定の開き角度を有することを特徴とする紙幣判定機である。
また、第八発明は、前記照明部に複数の光源を備えることを特徴とする紙幣判定機である。
また、第九発明は、前記照明部の全領域を均等に照射する調光手段を備えることを特徴とする紙幣判定機である。
また、第十発明は、前記本体に当該本体を他物に固定する固定手段を備えたことを特徴とする紙幣判定機である。
【発明の効果】
【０００５】  第一発明によれば、紙幣保持部にスイッチを設けたことで、紙幣挿入と同時に自動的に照明部の電源が入り、紙幣を照明することができる。この結果、すかし部分の確認等を簡単に行える。また、本体に照明部を有するので、設置場所を選ばない。
第二発明によれば、紙幣挿入時のみ電源が入り、消費電力を抑えることができる。
第三発明によれば、簡単な構造で、紙幣の検出が確実にでき、かつ、安価に製作することができる。
第四発明によれば、駆動部分が無いためスイッチの動作不良を少なくすることができる。
第五発明によれば、すかし全体が見やすく、紙幣が多少ずれて挿入されても、確実にすかし部分に照明をあてることができる。
第六発明によれば、紙幣のエッジが入りやすいので、曲がった紙幣でも挿入しやすく、挿入することで自然に広がるのでわざわざ紙幣を広げる必要が無く、片手で操作が行えて便利である。
第七発明によれば、簡単に紙幣保持部に紙幣を挿入することができる。
第八発明によれば、その場の状況や、好みに応じて照明の色や強さなどを変更可能である。
第九発明によれば、照明部から照射される光の強さを均一にすることができ、すかし部分を確認する際に判定しやすい効果がある。
第十発明によれば、任意の場所に紙幣判定機を設置することができる。
【発明を実施するための最良の形態】
【０００６】  この発明の一実施形態を、図１に示す。
紙幣判定機の本体１の上面には、紙幣保持部２と光源からの光を照射する白色半透明板を使用した照明部３が設けられている。本体１の内部には、電池７を有する。紙幣保持部２の内部にはスイッチ４を、本体１の内部には発光ダイオード５が設けられている。当該発光ダイオード５としては、例えば、白・青・赤等の各種の色のものを適宜使用可能である。紙幣が挿入されると、挿入された紙幣によりスイッチ４のレバー８が圧下され電源がオンとなる。レバー８には、紙幣を押圧する効果があり、安定して紙幣を保持することができる。
これにより、発光ダイオード５が発光し、照明部３からの照射光により、挿置された紙幣のすかし部分を視覚的に確認することができる。通常は、このように可視光を照射する光源を設けておき、紙幣のすかしを確認する。ただし、この他にも、例えば、紫外線の照射光源を併設しておけば、紙幣に印刷された蛍光塗料を発光させて確認することもできる。
前記紙幣保持部２は、本体上面とある程度離間する紙幣挿置部分９を有する。紙幣挿入部分１０は、例えば、図１に示すごとく、紙幣を展開・挿入し易いように、前記紙幣保持部２の一端側に位置する紙幣挿入縁部を凸状に形成する。具体的には、挿入する紙幣と平行な平面内において、挿入する紙幣の側に突出する凸部を、略三角形状に形成する。また、前記紙幣挿入縁部の前記凸部に、図１に示すごとく、紙幣の挿入方向に対して所定の開き角度を持たせておく。これにより、折れ曲がった紙幣を挿入する場合でも、紙幣を紙幣保持部２に確実に挿入することができる。また、紙幣保持部２に対して多少異なる角度から紙幣を挿入しても紙幣を確実に保持することができる。
前記照明部には、その全領域を均等に照射するための調光手段を備えておくと良い。上記のごとく、光源として発光ダイオード５等を用いる場合には、光は特定の個所から照射される。このため、照射部の各位置の明度が不均一になる場合がある。よって、本発明の照明部には、各種の調光手段を設ける。
例えば、照明部にすりガラスなどの光を散乱させる散乱板を設けることができる。また、本体の内部に発光ダイオード５の光を乱反射させる微少凹凸を設けた反射板を備えておいても良い。
本発明の紙幣判定機は、通常は、携帯して用いることができる。しかし、商店のレジや車のダッシュボードなど特定の個所に固定して使用することもできる。そのために、本体１の下面には、本体１を他物に固定するためのマグネット６を設ける。これにより、当該紙幣判定機を任意の個所に設置することができる。【０００７】「実施形態の効果」
この実施形態によれば、紙幣挿入部分は、紙幣が挿入しやすく展開しやすいように特徴的な面と角度を有しており、この部分の働きで、曲がった紙幣も挿入するだけで簡単に広げることができる。さらに自動的に光源が点灯するので、スイッチを入れる必要がなく、簡単に透かし部分を目視にて確認することが出来る。また、発光ダイオードと電池の使用により小型化することが出来る。したがって、狭いスペースに設置することや屋外での使用も可能である。背面には、マグネットを設けているので、簡単に固定着脱が可能で、任意の場所に紙幣判定機を設置することができるので便利である。【０００８】「他の実施形態」
図１の実施形態では、紙幣の挿置を機械式のスイッチにより認識して、電源をオンオフしていたが、光学式のスイッチで紙幣の挿置を認識するタイプのものでも良い。
図１の実施形態では、紙幣保持部は固定式で内部にスイッチを設けていたが、紙幣保持部が可動式で揺動により電源がオンオフされるタイプのものでも良い。
図１の実施形態では、光源は発光ダイオードであったが、電球を使用するタイプのものでも良い。
図１の実施形態では、マグネットを使用したが、粘着テープ、マジックテープを使用したものでも良い。
図１の実施形態では、白色半透明板を使用したが、透明板を使用しても良い。
図１の実施形態では、電源に内蔵電池を使用したが、外部電源を使用しても良い。
図１の実施形態では、紙幣保持部分は三角形に類似する形となっているが、楕円に類似する形でも良い。
【図面の簡単な説明】
【０００９】
【図１】この発明の一実施形態を示す斜視図である。
【図２】この発明の一実施形態を示す断面図である。
【図３】この発明の一実施形態を示す断面図である。
【図４】この発明の実施例である。
【図５】この発明の一実施形態を示す正面図である。
【図６】この発明の一実施形態を示す背面図である。
【図７】この発明の実施例である。
【図８】この発明の実施例である。
【図９】この発明の回路のブロック図である。
【符号の説明】
【００１０】１  本体
２  紙幣保持部
３  照明部
４  スイッチ
５  発光ダイオード
６  マグネット
７  電池
８  レバー
９  紙幣挿置部分
１０  紙幣挿入部分
１１  紙幣
１２  電池ケース
１３  紙幣挿入縁部
【図１】
2006209721.tif 000003
【図２】
2006209721.tif 000004
【図３】
2006209721.tif 000005
【図４】
2006209721.tif 000006
【図５】
2006209721.tif 000007
【図６】
2006209721.tif 000008
【図７】
2006209721.tif 000009
【図８】
2006209721.tif 000010
【図９】
2006209721.tif 000011